(57)【要約】【課題】野菜千切り機において拍子木切りや千切り加工された野菜を横方向に円滑に排出させるために用いる送りロールを提供すること。【解決手段】ケーシングａに臨むように配置された平切り刃ｉに近接して第１回転軸ｇと第２回転軸ｈを前後に並列して配置し、投入される野菜を平切り刃ｉにて平切りを施し、その平切りを施された野菜を、第１回転軸に装着される丸刃体ｊにより縦方向に切断して拍子木切りを施し又は第２回転軸に装着される横切り刃体ｋにより横方向に切断して千切りを施し、加工された野菜を機外に排出するように構成した野菜千切り機において、横切り刃体ｋに代えて装着される送りロール１０の軸筒１１の外面に、拍子木切りを施された野菜を押送するための柔軟性ゴム板片１６，１６をほぼ半径方向に突出させるように設けると共に、それらゴム板片１６の両端にサイドプレート１８，１９を挿入して固定した。【選択図】  図７
2004216472.tif 000002
【特許請求の範囲】
【請求項１】
投入口を備えたケーシング内に、複数のインペラーが前面側に設けられた回転盤を回転自在に設け、そのケーシングの開口部に平切り刃を内周方向に臨むように配置し、その平切り刃に近接して第１回転軸と第２回転軸を前後に並列して配置すると共にそれらの回転軸を回転駆動自在に設け、前記投入口から投入される野菜を回転盤の遠心力によりケーシングの内壁に押し付けつつ平切り刃にて平切りを施し、その平切りを施された野菜を、第１回転軸に装着された丸刃体により縦方向に切断して拍子木切りを施し又は第２回転軸に装着された横切り刃体により横方向に切断して千切りを施し、その加工された野菜を機外に排出するように構成した野菜千切り機において、
前記横切り刃体に代えて前記第２回転軸に装着される軸筒の外面に、拍子木切りを施された野菜を押送するための横長形状の柔軟性を有するゴム板片をほぼ半径方向に突出させるように設けると共に、そのゴム板片の両端に夫々位置するようにサイドプレートを挿入して固定を施してなることを特徴とする野菜千切り機の拍子木切り用送りロール。
【請求項２】
投入口を備えたケーシング内に、複数のインペラーが前面側に設けられた回転盤を回転自在に設け、そのケーシングの開口部に平切り刃を内周方向に臨むように配置し、その平切り刃に近接して第１回転軸と第２回転軸を前後に並列して配置すると共にそれらの回転軸を回転駆動自在に設け、前記投入口から投入される野菜を回転盤の遠心力によりケーシングの内壁に押し付けつつ平切り刃にて平切りを施し、その平切りを施された野菜を、第１回転軸に装着された丸刃体により縦方向に切断して拍子木切りを施し又は第２回転軸に装着された横切り刃体により横方向に切断して千切りを施し、その加工された野菜を機外に排出するように構成した野菜千切り機において、
前記丸刃体に代えて前記第１回転軸に装着される軸筒の外面に、平切りを施された野菜に僅かに喰い込ませるための多数の細かい突条若しくは突起が外周面に形成されたスリーブを嵌着すると共に、そのスリーブの両端に夫々位置するようにサイドプレートを挿入して固定を施してなることを特徴とする野菜千切り機の千切り用送りロール。
【発明の詳細な説明】
【０００１】
【発明の属する技術分野】
本発明は、野菜千切り機における拍子木切り及び千切り用送りロールに関する。
【０００２】
【従来の技術】
従来の野菜細切り機としては、例えば、本件出願人にかかる実公昭６２−３４７１０号に示すように、インペラーが前面側に設けられた回転盤をケーシング内に横向きに回転自在に設け、そのケーシングに平切り刃を内周方向に臨むように配置し、その平切り刃に近接して丸刃体と横切り刃体を上下に横向きに配置し、投入される根菜類や球根野菜を回転盤の遠心力によりケーシングの内壁に押し付けつつ平切り刃にて平切りを施し、その平切りを施された野菜を丸刃体により縦方向に切断し、かつ、これを横切り刃体により横方向に切断することによってさいの目状に加工し、その加工された野菜を下方に排出させるような構造とされている。しかして、この機械において拍子木切りや千切りを施す場合には、横切り刃体を取り外しておき、平切り刃によって平切りを施された野菜を丸刃体により縦方向に切断してそのまま下方に排出させることにより行われていた。
【０００３】
【発明が解決しようとする課題】
従来の野菜細切り機では、下向きの排出口から排出される加工野菜を床に置いた容器に自由落下させて収める方法が採られていた。ところが、床に置かれた容器は低い位置にあるために、内部に異物が混入し易い。そこで、食品衛生上の観点から、加工した野菜を横方向に排出させる構造とした野菜細切り機とするように改善を求められていた。しかし、排出口を単純に横向きにした構造の野菜細切り機により前述の拍子木切りや千切りを行なわせると、切断加工された野菜が円滑に排出されずに排出路の曲がり部分で詰まってしまうという不具合を生ずる。このため、切断加工された野菜を上下方向から横方向に向きが変わるように設けられた排出路に円滑に排出させるための何らかの対策を講じる必要があった。
【０００４】
この発明の目的は、野菜千切り機において拍子木切りや千切り加工された野菜を横方向に円滑に排出させるために用いる送りロールを提供することにある。
【０００５】
【課題を解決するための手段】
前記目的を達成するために請求項１に記載した発明の拍子木切り用送りロールは、投入口を備えたケーシング内に、複数のインペラーが前面側に設けられた回転盤を回転自在に設け、そのケーシングの開口部に平切り刃を内周方向に臨むように配置し、その平切り刃に近接して第１回転軸と第２回転軸を前後に並列して配置すると共にそれらの回転軸を回転駆動自在に設け、前記投入口から投入される野菜を回転盤の遠心力によりケーシングの内壁に押し付けつつ平切り刃にて平切りを施し、その平切りを施された野菜を、第１回転軸に装着された丸刃体により縦方向に切断して拍子木切りを施し又は第２回転軸に装着された横切り刃体により横方向に切断して千切りを施し、その加工された野菜を機外に排出するように構成した野菜千切り機において、前記横切り刃体に代えて前記第２回転軸に装着される軸筒の外面に、拍子木切りを施された野菜を押送するための横長形状の柔軟性を有するゴム板片をほぼ半径方向に突出させるように設けると共に、そのゴム板片の両端に夫々位置するようにサイドプレートを挿入して固定を施してなることを特徴とする。
【０００６】
同様の目的を達成するために請求項２に記載した発明の千切り用送りロールは、投入口を備えたケーシング内に、複数のインペラーが前面側に設けられた回転盤を回転自在に設け、そのケーシングの開口部に平切り刃を内周方向に臨むように配置し、その平切り刃に近接して第１回転軸と第２回転軸を前後に並列して配置すると共にそれらの回転軸を回転駆動自在に設け、前記投入口から投入される野菜を回転盤の遠心力によりケーシングの内壁に押し付けつつ平切り刃にて平切りを施し、その平切りを施された野菜を、第１回転軸に装着された丸刃体により縦方向に切断して拍子木切りを施し又は第２回転軸に装着された横切り刃体により横方向に切断して千切りを施し、その加工された野菜を機外に排出するように構成した野菜千切り機において、前記丸刃体に代えて前記第１回転軸に装着される軸筒の外面に、平切りを施された野菜に僅かに喰い込ませるための多数の細かい突条若しくは突起が外周面に形成されたスリーブを嵌着すると共に、そのスリーブの両端に夫々位置するようにサイドプレートを挿入して固定を施してなることを特徴とするものである。
【０００７】
【発明の作用及び効果】
（請求項１の発明）
野菜千切り機にて拍子木切りを行なう場合には、この拍子木切り用送りロールを第２回転軸に装着する。そこで、投入された野菜は、回転盤の遠心力によりケーシングの内壁に押し付けられつつ平切り刃にて平切りを施され、これとほぼ同時に、丸刃体により縦方向に切断されて拍子木切りを施される。
【０００８】
しかして、この野菜千切り機の拍子木切り用送りロールによれば、その拍子木切りを施された野菜をゴム板片によって強制的に押送して横向きの排出路に円滑に排出させることができる。
【０００９】
（請求項２の発明）
野菜千切り機にて千切りを行なう場合には、この千切り用送りロールを第１回転軸に装着する。そこで、投入された野菜は、回転盤の遠心力によりケーシングの内壁に押し付けられつつ平切り刃にて平切りを施される。この時に、連続回転駆動される千切り用送りロールの突条若しくは突起が平切りを施された野菜に僅かに喰い込みことにより、その野菜を後方に強制的に送り込む。ついで、平切りを施された野菜は、第２回転軸に装着された横切り刃体により横方向に切断され千切りを施されてから横向きの排出路に排出される。
【００１０】
しかして、この野菜千切り機の千切り用送りロールによれば、平切りを施された野菜を後方の横切り刃体側に円滑に送り込むことができる。
【００１１】
【発明の実施の形態】
以下に、本発明の実施の形態例を図面に基づいて説明する。図１は拍子木切り用送りロールの一部破断正面図、図２は拍子木切り用送りロールの一部破断側面図、図３は千切り用送りロールの斜視図、図４は千切り用送りロールの一部破断正面図、図５は野菜千切り機の斜視図、図６は野菜千切り機の要部を示す説明図、図７はケーシングに対する第１回転軸及び第２回転軸の配置関係を示す説明図である。
【００１２】
図１に示す拍子木切り用送りロール１０は、後記する野菜千切り機Ｓの第２回転軸ｈに装着されるものである。この送りロール１０の軸筒１１には、一端側に頭部１２を一体に形成すると共に中心に位置する軸孔１３にキー溝１３ａを形成している。１４は軸筒１１の他端側に形成された雄ネジである。その軸筒１１の外面１１ａには、１８０°の角度を隔てて二箇所に平坦な取り付け面１１ｂを設け、それらの取り付け面１１ｂに雌ネジ１５を夫々形成する。
【００１３】
１６は横長矩形状の柔軟性を有する厚さ２ｍｍ程度のゴム板片である。このゴム板片１６は、前記軸筒１１に金属製のサイドプレート１８を頭部１２に内接するまで挿入した状態において、ビス２０を当て板２１を介して雌ネジ１５に締め付けることにより前記外面１１ａに夫々固定されている。それらのゴム板片１６，１６は、図２に示すように、ほぼ半径方向に互い違いに突出させるように設けられている。
【００１４】
ゴム板片１６，１６を外面１１ａに夫々固定した状態において、別の金属製のサイドプレート１９を軸筒１１に挿入し、ナット２２を雄ネジ１４に螺着することにより拍子木切り用送りロール１０が構成される。サイドプレート１８，１９については、ゴム板片１６，１６の両端に夫々位置するように取り付けられている。
【００１５】
つぎに、野菜千切り機Ｓの第１回転軸ｇに装着される千切り用送りロール３０について述べる。
この送りロール３０の軸筒３１には、図４に示すように、一端側に頭部３２を一体に形成すると共に中心に位置する軸孔３３にキー溝３３ａを形成する。３４は軸筒３１の他端側に形成された雄ネジである。
【００１６】
３５は平切りを施される野菜に僅かに喰い込ませるための多数の細かい突条（若しくは突起）３６を軸心方向で外周面に形成したスリーブである。
【００１７】
上記軸筒３１に金属製のサイドプレート３８，３９と、スリーブ３５と、金属製のサイドプレート４０，４１を順に挿入し、ナット４２を雄ネジ３４に螺着することにより千切り用送りロール３０が構成される。
【００１８】
なお、スリーブ３５については、図示しないキー又は止めネジを用いて軸筒３１に固定を施すものとする。また、サイドプレート３８及びサイドプレート４１は、サイドプレート３９、サイドプレート４０よりもやや小径で厚さ寸法が大きく設けられている。
【００１９】
ここで、本発明の拍子木切り用送りロール１０及び千切り用送りロール３０が適用される野菜千切り機Ｓの概要構成について説明する。
図５〜図７において、その野菜千切り機Ｓは、投入口ｄを備えたケーシングａ内に、複数のインペラーｆが前面側に設けられた回転盤ｅを横向きに回転自在に設け、そのケーシングａの側方に設けられた開口部ｂに平切り刃ｉを内周方向に臨むように配置し、その平切り刃ｉに近接して第１回転軸ｇと第２回転軸ｈを上下に横向きに配置してそれらの回転軸を回転駆動自在に設けている。そして、投入口ｄから投入される根菜類や球根野菜等の材料ｍの加工目的に対応して、その第１回転軸ｇに丸刃体ｊを、第２回転軸ｈに横切り刃体ｋを適宜装着するようにされている。また、第２回転軸ｈの周囲については、上記開口部ｂに連通する円弧状の曲がり部分ｃとを設け、その曲がり部分ｃに横向きの排出樋ｏを設けている。
【００２０】
（拍子木切り加工）
上記野菜千切り機Ｓにて拍子木切りを行なう場合には、図７に示すように、第１回転軸ｇに丸刃体ｊを装着し、本発明の拍子木切り用送りロール１０を第２回転軸ｈに装着する。しかして、投入口ｄに球根野菜等の材料ｍを投入する。その投入された材料ｍは、回転盤ｅの遠心力によりケーシングａの内壁に押し付けられつつ平切り刃ｉにて平切りを施され、これとほぼ同時に、丸刃体ｊにより縦方向に切断されて断面の大きさが１０〜１５ｍｍ角程度に設定される拍子木切りを施される。その拍子木切りを施された野菜は、送りロール１０のゴム板片１６によって強制的に押送されて曲がり部分ｃを通過し、排出樋ｏの出口から円滑に排出される。
【００２１】
（千切り加工）
野菜千切り機Ｓにて千切りを行なう場合には、本発明の千切り用送りロール３０を第１回転軸ｇに装着し、第２回転軸ｈに横切り刃体ｋを装着する。しかして、投入口ｄに球根野菜等の材料ｍを投入する。その投入された材料ｍは、回転盤ｅの遠心力によりケーシングａの内壁に押し付けられつつ平切り刃ｉにて平切りを施される。この時に、連続回転駆動される千切り用送りロール３０の突条３６が平切りを施された野菜に僅かに喰い込みことにより、その野菜を後方に強制的に送り込む。ついで、平切りを施された野菜は、横切り刃体ｋにより横方向に切断されて断面の大きさが５ｍｍ角程度に設定される千切りを施され、曲がり部分ｃを通過して排出樋ｏの出口から円滑に排出される。
【００２２】
以上の通り、この野菜千切り機の拍子木切り及び千切り用送りロールによれば、拍子木切りや千切り加工された野菜を野菜千切り機の横方向に円滑に排出させることができる利点がある。
【図面の簡単な説明】
【図１】拍子木切り用送りロールの一部破断正面図
【図２】拍子木切り用送りロールの一部破断側面図
【図３】千切り用送りロールの斜視図
【図４】千切り用送りロールの一部破断正面図
【図５】野菜千切り機の斜視図
【図６】野菜千切り機の要部を示す説明図
【図７】ケーシングに対する第１回転軸及び第２回転軸の配置関係を示す説明図
【符号の説明】
１０・・・拍子木切り用送りロール
１１・・・軸筒
１１ａ・・・外面  １１ｂ・・・取り付け面
１６・・・ゴム板片
１８，１９・・・サイドプレート
２２・・・ナット
３０・・・千切り用送りロール
３１・・・軸筒
３５・・・スリーブ
３６・・・突条
３８〜４１・・・サイドプレート
４２・・・ナット
Ｓ・・・野菜千切り機
ａ・・・ケーシング
ｂ・・・開口部
ｃ・・・曲がり部分
ｅ・・・回転盤  ｆ・・・インペラー
ｇ・・・第１回転軸
ｈ・・・第２回転軸
ｉ・・・平切り刃
ｊ・・・丸刃
ｋ・・・横切り刃
ｏ・・・排出樋
【図１】
2004216472.tif 000003
【図２】
2004216472.tif 000004
【図３】
2004216472.tif 000005
【図４】
2004216472.tif 000006
【図５】
2004216472.tif 000007
【図６】
2004216472.tif 000008
【図７】
2004216472.tif 000009